(57)【要約】【課題】大型と小型のいずれの構成も可能とした情報処理装置を提供すること。【解決手段】情報処理装置は、端末本体部と、端末本体部からの情報を表示する表示ユニットと、端末本体部に設けた第１取付具と、表示ユニットの複数の個所に設けた、第１取付具に組み付く第２取付具と、を備えている。【選択図】図２
2014146157.tif 000002
【特許請求の範囲】
【請求項１】
端末本体部と、
前記端末本体部からの情報を表示する表示ユニットと、
前記端末本体部に設けた第１取付具と、
前記表示ユニットの複数の個所に設けた、前記第１取付具に組み付く第２取付具と、を備えたことを特徴とする情報処理装置。
【請求項２】
前記端末本体部に設けられた印刷機構を、更に備え、
前記第２取付具は、前記表示ユニットの２か所に設けてあり、一方の第２取付具に前記第１取付具を組み付けると、前記端末本体部の横幅方向の中心に前記表示ユニットの中心を合わせた位置で、他方の第２取付具に前記第１取付具を組み付けると、前記表示ユニットと前記印刷機構との干渉を避けた位置で、前記表示ユニットが前記端末本体部に取り付けられることを特徴とする請求項１に記載の情報処理装置。
【請求項３】
端末本体部と、
前記端末本体部に設けられた印刷機構と、
前記端末本体部に取り付けられ、前記端末本体部からの情報を表示する表示ユニットと、
前記端末本体部の上面に取り付けられ、前記端末本体部に入力操作する入力装置と、
前記表示ユニットを、前記端末本体部に、前記端末本体部の横幅方向の中心に前記表示ユニットの中心を合わせた位置と、前記表示ユニットと前記印刷機構との干渉を避けた位置とのいずれかにて取り付ける表示ユニット取付部と、
前記入力装置を、前記端末本体部に、前記端末本体部の横幅方向の中心に前記入力装置の中心を合わせた位置と、前記表示ユニットを前記印刷機構との干渉を避けた位置に配置したときの前記表示ユニットの移動方向と同方向に移動した位置で、前記表示ユニットの移動方向外側の端縁より、前記入力装置の端縁が内側となる位置と、のいずれかにて取り付ける入力装置取付機構と、を備えたことを特徴とする情報処理装置。
【請求項４】
前記入力装置を前記表示ユニットの移動方向と同方向に移動させたとき、前記端末本体部の上面の前記入力装置の側方に吟味台を設けることを特徴とする請求項３に記載の情報処理装置。
【請求項５】
前記表示ユニット取付部は、前記表示ユニットに設けられた受け具と、前記端末本体部に取り付けられ、前記受け具に差し込まれる差し込み部とを備え、更に、前記受け具は、前記表示ユニットの少なくとも２か所の異なる位置に設けられていることを特徴とする請求項３又は４に記載の情報処理装置。
【請求項６】
前記表示ユニット取付部は、前記端末本体部に回動自在に設けてあることを特徴とする請求項３〜５のいずれか１項に記載の情報処理装置。
【発明の詳細な説明】
【技術分野】
【０００１】
本発明の実施形態は、情報処理装置に関する。
【背景技術】
【０００２】
商品を販売する店舗に、ＰＯＳ（Point Of Sales）端末を設置し、商品の登録及び決済等を行うことが知られている。ＰＯＳ端末（情報処理装置）は、端末本体部に表示ユニットや印刷機構、入力装置等を取り付けて構成してある。
【０００３】
同一の経営のチェーン店においては、通常、基本的機能が同一の、共通したＰＯＳ端末を各店舗に設置する。ところが、店舗ごとに、その売り場面積に相違がある。すると、小規模の店舗で、設置スペースに限りがある場合は、設置するＰＯＳ端末に小型のものが好まれる。
【０００４】
ところが、小型のＰＯＳ端末では、表示ユニットの一部と印刷機構とが重なり、印刷用紙を補充する場合、表示ユニットを一時的に回動させることが必要になることがある。そこで、大型の店舗で、設置スペースに余裕がある場合は、表示ユニットと印刷機構等各機構が独立して機能し、お互いの間で干渉がない大型のＰＯＳ端末の設置が好まれる。しかしながら、基本的機能が同一でありながら、各構成ユニットの配置を異ならせたＰＯＳ端末を、店舗の大きさに応じて複数用意するのは、手間とコストがかかる。
【先行技術文献】
【特許文献】
【０００５】
【特許文献１】特開２０１２−１２８８０３号公報
【発明の概要】
【発明が解決しようとする課題】
【０００６】
本発明の実施形態が解決しようとする課題は、大型と小型のいずれの構成も可能とした情報処理装置を提供することにある。
【課題を解決するための手段】
【０００７】
一実施形態の情報処理装置は、端末本体部と、端末本体部からの情報を表示する表示ユニットと、端末本体部に設けた第１取付具と、表示ユニットの複数の個所に設けた、第１取付具に組み付く第２取付具と、を備えている。
【図面の簡単な説明】
【０００８】
【図１】一実施形態にかかる小型状態のＰＯＳ端末を示す正面図。
【図２】同ＰＯＳ端末の組み付け状態を示す分解斜視図。
【図３】同ＰＯＳ端末を上面から示す平面図。
【図４】同ＰＯＳ端末の表示ユニットの裏側を示す背面図。
【図５】大型状態のＰＯＳ端末を示す正面図。
【図６】同ＰＯＳ端末を上面から示す平面図
【図７】同ＰＯＳ端末の組み付け状態を示す分解斜視図。
【発明を実施するための形態】
【０００９】
一実施形態の情報処理装置について、ＰＯＳ端末を例に、図面を用いて説明する。図１は、小型状態のＰＯＳ端末１０を示す正面図である。図２は、ＰＯＳ端末１０の組み付け状態を示す分解斜視図である。図３は、小型状態のＰＯＳ端末を上面から示す平面図である。
【００１０】
情報処理装置としてのＰＯＳ端末１０は、図１、図２に示すように、端末本体部１２と、表示ユニット１４と、印刷機構としてのプリンタ１６と、入力装置としてのキーボードユニット１８とを備えている。
【００１１】
端末本体部１２は、底面が四角形の筐体で周囲が囲われ、内部にＰＯＳ端末としての作動に必要な制御装置その他の機構が組み込まれている。以下、ＰＯＳ端末１０について、図２の矢印Ａに示す方向をＰＯＳ端末１０の前方とし、その逆を後方とし、それを基準に左右を定める。又、図２に置いた状態で、重力の方向をＰＯＳ端末１０の下方とし、その逆を上方として説明する。
【００１２】
端末本体部１２は、ＰＯＳ端末１０としての最少の横幅長と同等の横幅長を有している。プリンタ１６は、端末本体部１２の、向かって左側に組み込んである。プリンタ１６は、印字ヘッドと、蓋体２０と、用紙収納部２２と、送出口２４とを備えた、例えば感熱作用で印刷を行う感熱プリンタである。尚、プリンタ１６は、感熱印刷に限らず、熱転写、インクジェットその他の印刷方式でもよい。
【００１３】
蓋体２０は、用紙収納部２２の上部を塞ぐように端末本体部１２の上面に取り付けてある。蓋体２０は、端末本体部１２の後方に支点部を有し、支点部により上下方向に開閉自在に取り付けてある。用紙収納部２２は、ロール状の印刷用紙を収納するに十分な大きさを有する凹部である。用紙収納部２２の上部は、通常、蓋体２０で塞がれている。
【００１４】
送出口２４は、プリンタ１６の前方に設けてある。プリンタ１６が印刷作業を開始すると、プリンタ１６は用紙収納部２２に収納されている印刷用紙を引き出し、印刷用紙の表面に印刷を行う。印刷された印刷用紙は、順次送出口２４からレシート等の印刷物として送出される。印刷用紙がなくなった場合、蓋体２０を開放して、ロール状の印刷用紙を用紙収納部２２に補充する。
【００１５】
表示ユニット１４は、例えば液晶表示装置を用いている。表示ユニット１４は、周囲に表示ユニット筐体３０を備え、表示ユニット筐体３０の内側に液晶表示装置が組み付けてある。表示ユニット筐体３０は、端末本体部１２の横幅長とほぼ等しいか、それより若干広い横幅長を有している。尚、表示ユニット１４の表示装置は、液晶によるものでなくともよい。
【００１６】
表示ユニット１４は、表示ユニット取付部３２により端末本体部１２に取り付けてある。表示ユニット取付部３２は、表示ユニット１４側に設けられた受け具３４と、端末本体部１２に設けられた差し込み具３６とを備えている。特許請求の範囲の第１取付具は、差し込み具３６に相当し、第２取付具は、受け具３４に相当する。
【００１７】
受け具３４を、図４に示す。受け部３４は、表示ユニット１４の裏面（液晶表示装置の画面側を正面（表面）とする）に、横幅方向に２つ並べて取り付けてある。又、受け具３４は、表示ユニット筐体３０を裏面から見て、向かって左側に設けてある受け具３４を左受け具３４ａとし、向かって右側に設けてある受け具３４を右受け具３４ｂとする。左受け具３４ａと右受け具３４ｂとは、基本的にいずれも差し込み具３６に対応した同一の形状を有している。
【００１８】
差し込み具３６は、端末本体部１２に回動自在に取り付けてある。差し込み具３６の回動中心は、端末本体部１２の底面と基本的に垂直に設けてある。差し込み具３６の上部は、受け具３４に差し込むと受け具３４に固着する形状を有している。差し込み具３６は、左右のいずれの受け具３４にも差し入れ可能で、又、いずれとも固着できる。受け具３４と差し込み具３６とは、止めねじや係合爪部などを用いて固定し、表示ユニット１４が容易に外れないようにすることが好ましい。
【００１９】
図２に示すように差し込み具３６を左受け具３４ａに取り付けると、図１に示すように表示ユニット１４を正面に向けた状態で、端末本体部１２の上部に表示ユニット１４が、それぞれの中心がほぼ一致した状態で縦に連続して配置される。
【００２０】
一方、図７に示すように、差し込み具３６を右受け具３４ｂに取り付けると、図５に示すように表示ユニット１４を正面に向けた状態で、表示ユニット１４の向かって左端が、プリンタ１６の右端の位置にほぼ一致するように表示ユニット１４が配置される。
【００２１】
キーボードユニット１８は、台座部４０と、台座部４０に設けられた複数のボタン４２やカードリーダ４４とを備えている。台座部４０は、長方形状で、端末本体部１２の横幅長とほぼ等しい横幅長と、端末本体部１２の送出口２４の下端から端末本体部１２の正面側端縁までの長さとほぼ等しい縦幅長とを有している。
【００２２】
台座部４０の上面には、各種のボタン４２が設けられている。ボタン４２は、通常のキーボードのボタンスイッチである。尚、キー配列は、適宜変更してもよい。又、カードリーダ４４が台座部４０の向かって右端に設けられている。
【００２３】
キーボードユニット１８は、端末本体部１２に、ねじと取付孔により固定される。これらねじと取付孔が、特許請求の範囲でいう入力装置取付機構である。キーボードユニット１８と端末本体部１２とは、図１に示すように端末本体部１２の中心とキーボードユニット１８の中心とをほぼ一致させた位置と、図５に示すように端末本体部１２の側方にキーボードユニット１８を移動させた位置の、いずれかの個所に取り付けられる。尚、入力装置取付機構は、ねじと取付孔でなく、キーボードユニット１８を端末本体部１２に組み付ける組み付け機構等であってもよい。
【００２４】
キーボードユニット１８は、図５に示すようにキーボードユニット１８を端末本体部１２の右方に移動させた位置に取り付けた場合でも、キーボードユニット１８の向かって左端縁が、送出口２４の向かって右端縁の位置より左に位置することがない。
【００２５】
又、キーボードユニット１８を端末本体部１２の右方にずらして取り付けたときには、キーボードユニット１８の左側に、図７に示す吟味台５６を取り付ける。吟味台５６は、客から受け取った代金を載せたり、つり銭を載せて確認するための台である。
【００２６】
又、端末本体部１２の右端縁から右側に突出したキーボードユニット１８の下部に、カバー部材５８を設ける。カバー部材５８は、キーボードユニット１８の下面を覆い、かつ、キーボードユニット１８の端末本体部１２への取り付けを補強する。
【００２７】
次に、ＰＯＳ端末１０の作用、効果について説明する。まず、小型状態のＰＯＳ端末１０について説明する。図２に示すように、表示ユニット１４の左受け具３４ａに端末本体部１２の差し込み具３６を差し入れ、表示ユニット１４を端末本体部１２に固定する。又、キーボードユニット１８を、端末本体部１２の中心に合わせて取り付ける。
【００２８】
すると、ＰＯＳ端末１０では、図１に示すように、表示ユニット１４及びキーボードユニット１８が、共に端末本体部１２の横幅長とほとんど変わらない横幅長の範囲内に取り付けられる。これにより、ＰＯＳ端末１０は、小型状態となり、設置スペースが縮小でき、ＰＯＳ端末のために設置スペースを大きく取れない小規模の店舗に容易に設置できる。
【００２９】
小型状態のＰＯＳ端末１０は、印刷用紙を補充するときは、図３に示すように表示ユニット１４をほぼ９０度回動させる。これにより、表示ユニット１４と蓋体２０との干渉がなくなり、蓋体２０を開放して印刷用紙を用紙収納部２２に補充できる。印刷用紙の補充が終了したなら、蓋体２０を閉め、表示ユニット１４を正面に回動させる。
【００３０】
一方、大型状態のＰＯＳ端末１０の場合は、図７に示すように、表示ユニット１４の右受け具３４ｂに差し込み具３６を差し入れ、表示ユニット１４を端末本体部１２に固定する。これにより、表示ユニット１４は、図５、図６に示すように、端末本体部１２から向かって右方向にずれた位置に取り付けられ、蓋体２０との干渉がなくなる。したがって、例えば、印刷用紙を補充するため、蓋体２０を開放しても、蓋体２０が表示ユニット１４に当接することがなく、補充作業が簡易にできる。
【００３１】
更に、キーボードユニット１８を、端末本体部１２の右方に突出させて端末本体部１２に取り付ける。これにより、送出口２４から送出されたレシート等とキーボードユニット１８との干渉がなくなり、キーボードユニット１８による入力操作が容易にできる。又、ＰＯＳ端末１０の左方に吟味台５６を設けることができ、ＰＯＳ端末１０を介した金銭の授受が容易にできる。
【００３２】
このように大型状態のＰＯＳ端末１０は、設置スペースに余裕のある店舗に設置し、ユニット間での干渉を生じさせることなく、使い勝手のよいＰＯＳ端末１０として使用することができる。
【００３３】
尚、上記例では、表示ユニット１４の左受け具３４ａと右受け具３４ｂとを同一の平面上に並べて設けたが、これに限らない。例えば、左受け具３４ａと右受け具３４ｂとの設置位置を上下方向にずらしたり、あるいは、互いの取付角度を変更してもよい。すると、大型状態のＰＯＳ端末１０と、小型状態のＰＯＳ端末１０とで、取り付けられる表示ユニット１４の高さや角度を異ならせ、ＰＯＳ端末１０のバリエーションを拡大させることができる。
【００３４】
又、キーボードユニット１８を、側方にずらして取り付けるのではなく、例えば、サイズが大きく、端末本体部１２の横幅長より横幅長の長いキーボードユニットを別途用意し端末本体部１２に取り付けてもよい。又、本発明は、ＰＯＳ端末に限るものではない。
【００３５】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
Ａ…矢印、１０…ＰＯＳ端末、１２…端末本体部、１４…表示ユニット、１６…プリンタ、１８…キーボードユニット、２０…蓋体、２２…用紙収納部、２４…送出口、３０…表示ユニット筐体、３２…表示ユニット取付部、３４…受け具、３４ａ…左受け具、３４ｂ…右受け具、３６…差し込み具、４０…台座部、４２…ボタン、４４…カードリーダ、５６…吟味台、５８…カバー部材。
【図１】
2014146157.tif 000003
【図２】
2014146157.tif 000004
【図３】
2014146157.tif 000005
【図４】
2014146157.tif 000006
【図５】
2014146157.tif 000007
【図６】
2014146157.tif 000008
【図７】
2014146157.tif 000009